(57)【要約】【課題】  ユーザがジャム処理等で装置の前ドアを開けて作業をしている際に、定着ローラが回転停止して外部加熱ローラが当接している場合に、定着ローラが外部加熱ローラから局所的に熱を受けることになり定着ローラが劣化してしまうことがあった。【解決手段】  前ドアがオープンとなったとき、外部加熱ローラが定着ローラに当接している場合には外部加熱ローラに内蔵されたヒータへの通電をオフする。前ドアクローズ後のウォームアップ時間の短縮化を図る場合は、定着ローラに内蔵されたヒータへの通電をそのまま継続させる。【選択図】  図６
2005122130.tif 000002
【特許請求の範囲】
【請求項１】
記録材に形成された未定着画像をニップ部にて熱定着する定着回転体と、前記定着回転体を外部から加熱する加熱手段と、画像形成装置の扉の開放に連動して前記定着回転体を停止させる手段と、を有する画像形成装置において、
前記加熱手段の加熱動作を前記扉の開放に連動して停止させることを特徴とする画像形成装置。
【請求項２】
前記加熱手段への通電を遮断することで加熱動作を停止させることを特徴とする請求項１の画像形成装置。
【請求項３】
前記加熱部材が前記定着回転体に当接しているとき前記扉の開放に連動して前記加熱手段への通電を遮断する一方、前記加熱手段が前記定着回転体から離間しているとき前記扉の開放にも関わらず前記加熱手段への通電を継続することを特徴とする請求項２の画像形成装置。
【請求項４】
前記定着回転体と前記加熱手段が離間することで加熱動作を停止させることを特徴とする請求項１の画像形成装置。
【請求項５】
前記定着回転体の内部から前記定着回転体を加熱する熱源を有し、前記ニップ部に記録材が存在しないとき前記扉の開放にも関わらず前記熱源への通電を継続させることを特徴とする請求項１乃至４のいずれかの画像形成装置。
【請求項６】
前記定着回転体の内部から前記定着回転体を加熱する熱源を有し、前記ニップ部にて記録材の搬送異常が発生したとき前記扉の開閉に関わらず前記加熱手段の加熱動作と前記熱源の加熱動作を停止させることを特徴とする請求項１乃至５のいずれかの画像形成装置。
【請求項７】
前記扉は前記画像形成装置の外壁の一部を構成することを特徴とする請求項１乃至６のいずれかの画像形成装置。
【請求項８】
前記定着回転体は記録材上の未定着画像と接触自在であることを特徴とする請求項１乃至７のいずれかの画像形成装置。
【請求項９】
記録材に形成された未定着画像をニップ部にて熱定着する定着回転体と、前記定着回転体の外面に当接して前記定着回転体を加熱する加熱部材と、前記定着回転体と前記加熱部材を接離させる手段と、を有する画像形成装置において、
前記画像形成装置の扉の開放動作と、前記定着回転体と前記加熱部材との離間動作を連動させる連動手段を有することを特徴とする画像形成装置。
【請求項１０】
前記扉は前記画像形成装置の外壁の一部を構成することを特徴とする請求項９の画像形成装置。
【請求項１１】
前記定着回転体は記録材上の未定着画像と接触自在であることを特徴とする請求項９又は１０の画像形成装置。
【発明の詳細な説明】
【技術分野】
【０００１】
本発明は、電子写真方式や静電記録方式を用いた画像形成装置に関し、特に、複写機、プリンタ、ＦＡＸ等の画像形成装置に関する。
【背景技術】
【０００２】
従来、複写機やレーザビームプリンタ、あるいはファクシミリ等の画像形成装置において、転写用紙上に転写された未定着トナー像を加熱定着する定着装置としては、ハロゲンランプ等の加熱源が内蔵された定着ローラと、同じく加熱源が内蔵され、この定着ローラに圧接する加圧ローラを備え、未定着トナー像を担持した記録シートをこれら定着ローラと加圧ローラとの間に挿通させることによって、上記定着ローラの表面温度によって軟化したトナーを記録シートの繊維間に浸透させ、かかる未定着トナー像を記録シートに対して定着させるように構成したものが知られている。
【０００３】
定着ローラ及び、加圧ローラの加熱源のハロゲンランプは、定着ローラ、加圧ローラの各々の表面に取り付けられた温度センサからの信号に基づいて、オン・オフ制御され、表面が所定の温度に制御されるようになっている。
【０００４】
このように構成される加熱ローラ方式の定着装置においては、定着ローラの弾性層の弾性変形によって、両ローラの圧接部（以下、「ニップ部」という。）が形成される。そして、かかる定着装置では、ニップ部に未定着トナー像を担持した転写用紙を通過させることによって、熱エネルギーと圧力により未定着トナー像を溶融して転写用紙上に定着するものである。
【０００５】
上記の如く構成される定着装置の場合には、定着ローラ及び加圧ローラが弾性層を有しているが、これらの弾性層は、ある程度の厚さを有するシリコーンゴム等の弾性体からなり、比較的熱伝導率が低い。そのため、上記定着装置では、用紙走行時に定着ローラや加圧ローラの表面の温度が所定の温度より低下した場合、この温度低下を各々の温度センサによって検知して、それぞれのハロゲンランプに通電しても、当該ハロゲンランプの熱が弾性層を介して表面に伝わるまでに時間を必要とし、定着不良を発生するおそれがある。特に、プロセススピードを上げていった場合に、定着不良が発生しやすくなり、この定着不良の発生を防止するためには、連続プリントスピードが制限されるという問題点が生じる。
【０００６】
そこで、かかる問題点に対する解決策として、特許文献１や特許文献２に開示されているように、定着ローラの表面に高温に維持した外部加熱ローラを当接させて、定着ローラ表面の温度低下を緩和する技術が既に提案されている。
【０００７】
しかし、このような定着装置の場合には、外部加熱ローラと定着ローラの表面温度制御が適切な温度内に制御されている場合においても、定着ローラの回転停止時に外部加熱ローラを当接し続けた場合には、外部加熱ローラが定着ローラ表面の一点を熱し続けてしまうために、その部分に傷や劣化が生ずるといった問題があった。このように定着ローラの表面が劣化すると、画像部のすじや光沢不良等の画像欠陥、また定着ローラの離型性の低下によるトナー付着（オフセット）や、記録紙の剥離不良等の問題が発生する。
【０００８】
このような問題点に対しては、特許文献３に開示されているように、外部加熱ローラを定着ローラに対し接離可能に構成して、外部加熱ローラが定着ローラに当接するまでに、定着ローラを回転駆動手段によって空回転させる技術がすでに提案されている。
【０００９】
また、従来の前記画像形成装置では、ユーザがジャム処理等で装置の外装カバー（以降、前ドアと呼ぶ）を開けた場合（以降、ドアオープンと呼ぶ）に、インターロック機能が働くようにして、負荷系の電力を遮断して駆動系が動作しないよう保護手段を設けている。
【特許文献１】特開平１０−１４９０４４号公報
【特許文献２】特開平１１−２４４８９号公報
【特許文献３】特開平１１−２４４６１号公報
【発明の開示】
【発明が解決しようとする課題】
【００１０】
しかしながら、このような画像形成装置では、ドアオープンによりインターロック機能が働いた場合に次のような問題点を有している。
【００１１】
外部加熱ローラが定着ローラに当接した状態のとき、ドアオープンによりインターロック機能が働いた場合、定着ローラ並びに外部加熱ローラの回転が強制停止され、さらに外部加熱ローラを定着ローラから接離させるための駆動手段も強制停止されるため、外部加熱ローラに内蔵されたヒータへの通電をオンしたままにすると、定着ローラの外部加熱ローラと接触している部分だけが外部加熱ローラにより局所的に熱せられてしまい、定着ローラ表面が局所的に劣化してしまうことがあった。
【００１２】
特に、外部加熱ローラは、定着ローラよりも比較的高めの温度に維持されている為、定着ローラ表面の局所的なダメージは避けられず、確実な対応が望まれていた。
【００１３】
そこで、本発明の目的は、定着回転体の劣化を防止することができる画像形成装置を提供することである。
【００１４】
本発明の他の目的は、画像形成装置の扉を閉じた後に行われる画像形成を早期に実行することができる画像形成装置を提供することである。
【００１５】
本発明の更なる目的は添付図面を参照しつつ以下の詳細な説明を読むことにより明らかになるであろう。
【課題を解決するための手段】
【００１６】
第１の本発明は、記録材に形成された未定着画像をニップ部にて熱定着する定着回転体と、前記定着回転体を外部から加熱する加熱手段と、画像形成装置の扉の開放に連動して前記定着回転体を停止させる手段と、を有する画像形成装置において、
前記加熱手段の加熱動作を前記扉の開放に連動して停止させることを特徴とするものである。
【００１７】
第２の本発明は、記録材に形成された未定着画像をニップ部にて熱定着する定着回転体と、前記定着回転体の外面に当接して前記定着回転体を加熱する加熱部材と、前記定着回転体と前記加熱部材を接離させる手段と、を有する画像形成装置において、
前記画像形成装置の扉の開放動作と、前記定着回転体と前記加熱部材との離間動作を連動させる連動手段を有することを特徴とするものである。
【発明の効果】
【００１８】
本発明によれば、画像形成装置の扉が開放している際に定着回転体が劣化してしまうのを防止することができる。さらに、画像形成装置の扉を閉じてから画像形成が開始可能となるまでの時間を短くすることができる。
【発明を実施するための最良の形態】
【００１９】
以下、本発明に係る実施例の説明を行う。
【実施例１】
【００２０】
以下に、この発明の実施例１の形態について図面を参照して説明する。
【００２１】
図１はこの発明の実施の形態に係る定着装置を適用した画像形成装置としてのカラー複写機を示すものである。なお、本発明の実施形態に係る定着装置は、プリンターやファクシミリ等の画像形成装置であっても同様に適用できるものである。
【００２２】
（画像形成装置の全体構成）
図１において、４０はカラー電子写真複写機の本体を示すものであり、このカラー電子写真複写機本体の上部には、原稿４４を１枚ずつ分離した状態で自動的に搬送する自動原稿搬送装置４１と、当該自動原稿搬送装置４１によって搬送される原稿４４の画像を読み取る原稿読取装置４２が配設されている。この原稿読取装置４２は、プラテンガラス４３上に載置された原稿４４を光源４５によって照明し、原稿４４からの反射光像を、光学ミラー４６，４７，４８及び、結像レンズ４９からなる縮小光学系を介して、ＣＣＤ等からなる画像読み取り素子５０上に走査露光して、この画像読み取り素子５０によって原稿４４の色材反射光像を所定のドット密度で読み取るようになっている。
【００２３】
上記原稿読取装置４２にて読み取られた原稿４４の色材反射光像は、Ｒ（赤），Ｇ（緑），Ｂ（青）の３色のデータとして画像処理装置５１に送られ、この画像処理装置では、原稿４４のＲ，Ｇ，Ｂデータに対して、シェーディング補正、ガンマ補正、色空間処理等の画像処理が施される。
【００２４】
そして画像処理装置５１で所定の画像処理が施された画像データは、Ｙ（イエロー），Ｍ（マゼンタ），Ｃ（シアン），Ｋ（ブラック）の画像データとして画像制御部５に送られ、この画像制御部５では、画像データに応じて、レーザ光による画像露光が行われる。
【００２５】
露光装置５による画像の露光は、感光体ドラム１（以下、単に「感光体」という）に施される。ドラム１は図示しないモータで矢印Ａの方向に回転できるように設けられている。感光体１の周囲には、一次帯電器４、電位センサ３７、画像制御部５、カラー現像ユニット７、白黒現像ユニット８、転写帯電器９、クリーナ装置６が配置されている。
【００２６】
画像の形成は、まず、帯電装置４に電圧を印加して感光体１の表面を予定の帯電部電位で一様にマイナス帯電させる。この帯電レベルは電位センサ３７により検出され、この検出結果をもとに帯電装置４の出力強度はフィードバック制御される。続いて、レーザースキャナからなる露光装置５は、画像データをもとに、帯電された感光体１上の画像部分が予定の露光部電位になるように露光を行い潜像が形成される。画像制御部５は画像データに基づいてオン・オフすることにより、画像に対応した潜像を形成する。
【００２７】
カラー現像ユニット７はフルカラー現像のための３台の現像装置７Ｙ，７Ｍ，７Ｃ，からなる。カラー現像装置７Ｙ，７Ｍ，７Ｃ，及び白黒現像装置８は、感光体１上の潜像をそれぞれＹ、Ｍ、Ｃ、Ｋのトナーで現像する。各色のトナーを現像する際には、図示しないモータによってカラー現像ユニット７を矢印Ｒ方向に回転させ、当該色の現像装置が感光体１に当接するように位置合わせされる。
【００２８】
感光体１上に現像された各色のトナー像は、転写装置９によって中間転写体としてのベルト２に順次転写されて、４色のトナー像が重ね合わされる。ベルト２を挟んで転写ベルト駆動ローラ１０と対向する位置にはベルトクリーナ１４が設けられていて、ベルト２上の残留トナーがブレードで掻き落とされる。
【００２９】
ベルト２に転写されたトナー像は、さらに２次転写装置１５で記録紙（記録材）に転写される。フルカラープリント時はベルト上で４色のトナーが重ね合わされた後、記録紙に転写される。上記記録紙は、記録紙カセット１６からピックアップローラ１７で搬送路に引き出され、搬送ローラ対１８及び、１９によってニップ部、つまり２次転写装置１５とベルト２との当接部に給送される。
【００３０】
また、感光体１上に残留したトナーは予備清掃装置でトナーの帯電を、クリーニングしやすい状態にし、クリーナ装置６で除去・回収され、最後に、感光体１は除電装置（不図示）で一様に０ボルト付近まで除電されて、次の画像形成サイクルに備える。
【００３１】
トナー像が転写された記録紙は、その後、定着装置（定着装置）３に送給される。記録紙上のトナー像は、定着装置３で熱定着されて装置外へ排出される。
【００３２】
さて、上記カラー複写機の画像形成タイミングは、ベルト２上の所定位置を基準として制御されている。ベルト２はローラ１０，１１，１２，１３に張架されている。これらのうち、転写ベルト駆動ローラ１０は図示しない駆動源に結合されてベルト２を駆動する駆動ローラとして機能し、転写ベルトテンションローラ１１，１２はベルト２の張力を調節するテンションローラとして機能し、バックアップローラ１３は２次転写装置としての転写ローラ１５のバックアップローラとして機能する。
【００３３】
テンションローラ１２付近には、基準位置を検知する反射型センサ２０が配置されている。反射型センサ２０はベルト２の外周面端部に設けられた反射テープ等のマーキングを検知してＩ−ｔｏｐ信号を出力する。
【００３４】
前記感光体１の外周の長さとベルト２の周長は、１：ｎ（ｎは整数）で表される整数比になっている。このように設定しておくと、ベルト２が１周する間に、感光体１が整数回転し、ベルト１周前とまったく同じ状態に戻るため、中間転写ベルト２上に４色を重ね合わせる際に（ベルトは４周回る）、感光体１の回転ムラによる色ズレを回避することが可能である。
【００３５】
上記のような中間転写方式の画像形成装置においては、Ｉ−ｔｏｐ信号を検知したのち、所定時間経過後にレーザースキャナからなる画像制御部５で露光を開始する。また、前述したとおり、ベルト２が１周する間に、感光体１が整数回転し、ベルト１周前とまったく同じ状態に戻るため、ベルト２上では常に同じ位置にトナー像が形成される。用紙サイズによって、トナー像サイズも変化するが、ベルト２上にはトナー像が絶対にのらない範囲が存在する。
【００３６】
（画像形成装置の制御系）
次に、図２に本装置の制御系ブロック図を示す。
【００３７】
本装置は全て、システムコントローラ１０１によって統括的にコントロールされる。システムコントローラ１０１は、主に本装置内の各負荷の駆動、センサ類の情報収集解析及び前述した画像処理装置５１、画像制御部５に加えて、操作部１０２、即ちユーザインターフェースとのデータの交換の役割を担っている。システムコントローラ１０１の内部構成は、上述した役割を担うために、ＣＰＵ１０１ａが搭載されており、ＣＰＵ１０１ａは、同様にシステムコントローラ１０１に搭載されたＲＯＭ１０１ｂに格納されたプログラムによって、予め決められた画像形成シーケンスに纏わる様々なシーケンスを実行する。また、その際、一次的または恒久的に保存することが必要な書換可能なデータを格納するために、ＲＡＭ１０１ｃも搭載されている。ＲＡＭ１０１ｃには、例えば後述する高圧制御部１０５への高圧設定値、後述する各種データ、操作部１０２からの画像形成指令情報などが保存されることになる。
【００３８】
システムコントローラ１０１の第１の役割である画像処理装置５１、画像制御部５、操作部１０２とのデータ交換について説明する。画像処理装置５１とは図示しないＣＣＤからの画像信号をＡ／Ｄ変換、Ｓ／Ｈ、シェーディング補正、マスキング補正、変倍、ＬＯＧ変換等の画像処理を実施している。これらの画像処理に必要な各部の仕様設定値データを送出することに加えて、各部からの信号、例えば原稿画像濃度信号などを受信して、後述する高圧制御部１０５や画像制御部５を制御して最適な画像形成を行うための設定を行う。画像制御部５とは、画像形成するための画像サイズの規定と、画像処理されたデジタルのビデオデータに基づいて、最適にレーザをコントロールする、即ち、本装置ではレーザ発光をＰＷＭ処理するために必要な設定を行っている。操作部１０２とは、ユーザにより設定された複写倍率、濃度設定値などの情報を得ることに加えて、画像形成装置の状態、例えば画像形成枚数や画像形成中か否かの情報、ジャムの発生やその箇所等をユーザに示すためのデータを送出している。
【００３９】
次にシステムコントローラ１０１の第２の役割である装置内の各負荷の駆動、センサ類の情報収集解析について説明する。本装置は、装置内部の各所にモータ、クラッチ／ソレノイド等のＤＣ負荷及び、フォトインターラプターやマイクロスイッチ等のセンサが配置されている。つまり、モータの駆動や各ＤＣ負荷を適宜駆動させることで、記録紙の搬送や各ユニットの駆動を行っており、その動作を監視しているものが各種センサである。そこでシステムコントローラ１０１は、各種センサ類１０９からの信号をもとに、モータ制御部１０７に各モータをコントロールさせると同時に、ＤＣ負荷制御部１０８により、クラッチ／ソレノイドを動作させて画像形成動作を円滑に進めている。また、高圧制御部１０５に各種高圧制御信号を送出することで、高圧ユニット１０６を構成する各種帯電器である１次帯電器４、カラー現像ユニット７、白黒現像ユニット８、転写帯電器９に適切な高圧を印可させている。更に前述した定着装置３内の定着ローラ２１、加圧ローラ２３、外部加熱ローラ２９には、それぞれローラを加熱するためのヒータ１１１が内蔵されており、その各ヒータはＡＣドライバ１１０によってＯＮ／ＯＦＦ制御されている（ここでは、各ローラに対する後述するヒータ２２，２４，３０をヒータ１１１により代表させる。）。またこの際、定着ローラ２１、加圧ローラ２３、外部加熱ローラ２９にはその温度を測定するためのサーミスタ１０４がそれぞれ設けられ（ここでは、各ローラに対する後述するサーミスタ３４，３６，３２をサーミスタ１０４によって代表させる。）、Ａ／Ｄコンバータ１０３によって、各ローラ２１、２３、２９の温度変化に応じたサーミスタ１０４の抵抗値変化を電圧値に変換した後、デジタル値としてシステムコントローラ１０１に入力される。この温度データをもとに前述のＡＣドライバ１１０を制御することになる。
【００４０】
また、ＡＣドライバ１１０は、定着ローラ２１、加圧ローラ２３、外部加熱ローラ２９には、それぞれのローラを加熱するためのヒータへの電力供給を通電／遮断する定着リレー１１２の駆動も行っている。この定着リレー１１２は、システムコントローラ１０１からのオン・オフ制御信号をもとに制御される。装置の異常時等にはこの定着リレー１１２によってすべてのヒータの供給電源を遮断して画像形成装置を保護している。ここでは、定着リレー１１２が共通スイッチ手段を構成する。
【００４１】
ここで、図１に示すように、画像形成装置には、その内部空間と外部との間を隔てている、ジャム処理や機器の交換などのメンテナンス用の扉としての前ドア２００が設けられている。
【００４２】
そこで、システムコントローラ１０１は、この前ドア２００（図１）の開閉を検知する前ドア検知部１１３からの検知信号が入力される構成となっており、ジャム処理等のために操作者（ユーザ）が前ドア２００をオープンさせたか否かを判定するようになっている。
【００４３】
（定着装置の構成）
図３は本発明の実施の形態に係わる定着装置を示す構成図である。
【００４４】
定着手段としての定着装置３には、内部に加熱源である定着ヒータ２２を有する定着回転体としての定着ローラ２１と、同じく内部に加熱源である加圧ヒータ２４を有する加圧回転体となる加圧ローラ２３とが、図示しない加圧機構によって互いに圧接しながら回転可能に配置されている。
【００４５】
この定着ローラと加熱ローラにより形成される定着ニップ部にて記録材を挟持搬送ながら未定着画像を定着する構成となっている。
【００４６】
定着回転体や加圧回転体としては、例えば、ローラ状の部材が用いられるが、これに限定されるものではなく、ベルト状の部材を用いて記録材を加熱するように構成してもよい。
【００４７】
定着ローラ２１と加圧ローラ２３は、回転駆動手段である定着モータ２６からの駆動を受けて回転する。定着モータ２６の駆動／停止は、カラー複写機の動作モードや定着ローラの表面温度の条件等に従って、システムコントローラ１０１によって制御される。
【００４８】
定着ローラ２１及び加圧ローラ２３には温度検知手段であるサーミスタ３４，３６が当接されており、該サーミスタ３４，３６によって定着ローラ２１及び加圧ローラ２３の表面温度が検知される。
【００４９】
前述のように、この検知情報に基づいて、システムコントローラ１０１はＡＣドライバ１１０を介して、定着ヒータ２２，加圧ヒータ２４を制御し、定着ローラ２１及び加圧ローラ２３の温度を共に設定温度（本例では定着ローラ２１が２００℃、加圧ローラ２３が１７０℃）を維持するように制御する。
【００５０】
ＡＣドライバ１１０には、定着ヒータ２２，加圧ヒータ２４、および後述する外部加熱ヒータ３０との間をそれぞれ電気的に接続及び切断するスイッチが設けられており、システムコントローラ１０１から出力される制御信号によって各スイッチのオン・オフが制御される。このような各ヒータ２２、２４、３０のスイッチは、例えばＳＳＲやトライアックのような半導体スイッチ手段によって構成することができるが、これに限定されるものではない。
【００５１】
前記定着ローラ２１は、アルミニウム製の芯金の外周にＨＴＶ（高温加硫型）シリコーンゴム層が設けられ、更に該ＨＴＶシリコーンゴム層の外周に耐熱弾性層としてＲＴＶ（室温加硫型）シリコーンゴム層が設けられ、厚さ３［ｍｍ］、直径４０［ｍｍ］で構成されている。
【００５２】
一方、加圧ローラ２３は、アルミニウム製の芯金の外周に１［ｍｍ］厚のＨＴＶシリコーンゴム層が設けられ、更に該ＨＴＶシリコーンゴム層の外周にフッ素樹脂層が設けられ、直径４０［ｍｍ］で構成されている。上記のような構成の定着ローラ２１及び加圧ローラ２３を組み合わせることによってトナーに対する離型性をより一層高めている。
【００５３】
また、上述の外部加熱部材である外部加熱ローラ２９が、定着ローラ２１外面に対し接離手段６０によって接離可能に構成されている。
【００５４】
外部加熱ローラ２９は、接離検知手段である接離センサ６１からの信号をもとに、システムコントローラ１０１によって、接離手段６０を介して、定着ローラ２１の外周面に対して接離するようになっている。接離センサ６１は、外部加熱ローラ２９が定着ローラ２１に対して、当接の位置にあるか、あるいは離間の位置にあるかを検出するセンサである。
【００５５】
外部加熱ローラ２９は定着ローラ２１に対して当接した際に、図示しないバネによって圧接され、定着ローラ２１に従動して回転する。
【００５６】
また外部加熱ローラ２９は、断熱ブッシュ等の支持棒によって支持される。そして、その支持棒が接離手段６０によって移動されることによって、定着ローラ２１への接離がなされる。この接離は、公知の技術であるモータやバネクラッチ、ソレノイド等を利用して達成される。
【００５７】
前記外部加熱ローラ２９は、内部に加熱源である外部加熱ヒータ３０を内蔵しており、その外周には、例えば、熱伝導率の高いアルミニウム、鉄、ステンレス等の金属、或いは高離型性を持つゴム、樹脂等を前記金属表面にコートして構成される。これにより外部加熱ローラ２９は、ゴムにより構成された弾性層を有する定着ローラ２１と比べて熱容量が小さく、定着ローラ２１よりも所定温度に立ち上げるまでのウォームアップ時間を短くできる。
【００５８】
また外部加熱ローラ２９には温度検知手段であるサーミスタ３２が当接されており、該サーミスタ３２によって外部加熱ローラ２９の表面温度が検知される。前述のように、この検知情報に基づいて、システムコントローラ１０１はＡＣドライバ１１０を介して、外部加熱ヒータ３０を制御し、外部加熱ローラを設定温度（ここでは外部加熱ローラ：２３０℃）に維持するように制御する。
【００５９】
このようにして定着ローラ２１と加圧ローラ２３とのニップ部を記録材が挟持搬送さることにより、記録紙上に転写されたトナーを含む現像剤にて形成された未定着画像が記録紙上に熱定着されるようになっている。
【００６０】
ここで、外部加熱部材としては、例えば、内部に加熱源を有するローラ状の部材が用いられるが、これに限定されるものではなく、定着ローラ外面を外部から加熱することが可能な部材であれば、樹脂、ゴム、金属等で構成されるベルトや、定着ローラ外面から所定距離離れた位置にて加熱する非接触タイプのものを用いて構成することも可能である。また、定着ローラと対向するようにコイルを設けこのコイルに高周波電流を印加することにより定着ローラを磁気誘導加熱するような構成のものを用いてもよい。
【００６１】
次に図４、図５、図１３を用いて、本発明の実施形態の詳細について説明する。図４は、システムコントローラ１０１に入力される、前ドア検知１１３の検知信号５０１により、本装置の前ドアの開閉状態を開閉検知手段により検出して、外部加熱ヒータの温調のオン／オフを制御するヒーターイネーブル信号５０３を生成し、外部加熱ヒータの温調を制御するシーケンス図である。
【００６２】
ここで、前ドア検知信号５０１で前ドアのオープン（Ｈ論理）が検知されると、インターロック機能で定着モータ２６および接離手段６０に供給される電源がオフ（Ｌ論理）されるため、外部加熱ヒーターイネーブル信号５０３をオフ（Ｌ論理）にして外部加熱ヒータ制御信号５０５をオフ（Ｌ論理）し、外部加熱ヒータをオフする。
【００６３】
このように、前ドアが開状態の場合には、これらの機能（電力遮断手段）により外部加熱ヒータへ電力が供給されることが遮断されるため、外部加熱ヒータが発熱することはない。このことから、前ドアが開状態には、接離手段６０への通電も遮断されて外部加熱ローラが定着ローラに当接しているにも関わらず外部加熱ローラから熱供給を停止することができる。
【００６４】
図５は、本発明の外部加熱ヒータ制御の回路を示したブロック図であり、上記外部加熱ヒーターイネーブル信号と、外部加熱サーミスタ３２の温度データ５０６に応じたＣＰＵ１０１ａの外部加熱ヒータ制御信号５０４の論理から、外部加熱ヒータを制御するための回路の一例である。
【００６５】
この外部加熱ヒータ制御回路では、５１０と５１１のロジックにより、前ドア検知信号５０１がＨでオープン状態の場合に、インターロック機能により接離手段６０で外部加熱ローラ２９が離間できない状態であると認識し、外部加熱ヒーターイネーブル信号５０３をヒータ制御オフ状態のＬにして、外部加熱ヒータ制御信号５０５をＬのオフ状態にするものである。
【００６６】
また、５１０と５１１のロジックは、本実施例でのカラー複写機の論理に合わせて構成しているが、前ドア検知１１３の開閉検知信号５０１、ＣＰＵ１０１ａの外部加熱ヒータ制御信号５０４の、２つの信号の論理は、回路構成やメカ構成によって変化する際には、その装置のそれぞれの信号論理にあわせて５１０、５１１のロジックを構成すれば、同様のヒータ制御を実現できる。
【００６７】
また本実施例のように、ＡＣドライバ１１０への外部加熱ヒータ制御信号５０５を、外部加熱ヒーターイネーブル信号５０３と、ＣＰＵ１０１ａからの外部加熱ヒータ制御信号５０４をもとにロジック５１１によって生成すれば、外部加熱ローラ２９が離間できない状態にはＡＣドライバ１１０への外部加熱ヒータ制御信号５０５がＬで「オフ側」に固定されるので、強制的に外部加熱ヒーターがオフされて定着ローラを保護することができる。
【００６８】
更に、本実施例では外部加熱ヒーターイネーブル信号５０３やロジック５１１を、ハード回路で構成しているため、仮にソフトが暴走して、ＣＰＵ１０１ａの外部加熱ヒータ制御信号５０４がオンしてしまった場合にも、ハード的に外部加熱ヒータ制御信号５０５を強制的にオフできるため、定着ローラの保護性能が高められる。
【００６９】
（画像形成装置における制御の詳細）
次に、本発明に係わる制御の詳細を、図６から図９を用いて説明する。
【００７０】
（ウォームアップ時における制御）
図６はウォームアップ時における制御の詳細である。まず図３に示すようにカラー複写機の主電源を投入されると（Ｓ１）、外部加熱ローラ２９はホームポジションへ移動させる（Ｓ２）。ここで、ホームポジションとは、外部加熱ローラ２９が、定着ローラ２１に対して離間する所定位置であり、システムコントローラ１０１内のＣＰＵ１０１ａで外部加熱ローラ２９を接離制御をして、当接あるいは離間の制御状態と、接離センサ６１からの当接状態／離間状態の信号との一致／不一致を確認し、接離手段６０と接離センサ６１の異常を確認するとともに、外部加熱ローラ２９を定着ローラ２１に対して離間する所定位置に移動させる。
【００７１】
続いて定着リレーをオンし（Ｓ３）、外部加熱ローラ２９、定着ローラ２１、加圧ローラ２３の表面温度がそれぞれ制御温度２３０℃、２００℃、１７０℃に達しているか否かをチェックする（Ｓ５）。ここで、該温度に各々の表面温度が達している場合には、定着モータ２６をオフ、外部加熱ローラ２９を定着ローラ２１から離間させたうえで、スタンバイに移行する。（ただし電源オン直後には、定着モータ２６はオフ、外部加熱ローラ２９は定着ローラ２１から離間、の状態に予め制御されている）。
【００７２】
一方、該温度に各々の表面温度が達していない場合には（Ｓ５）、次に定着ローラ２１の表面温度が制御温度２００℃に達しているか否かのチェックが行われる（Ｓ６）。
【００７３】
ここで制御温度に達していない場合には定着ヒータ２２をオンし（Ｓ７）、達している場合には定着ヒータ２２をオフする（Ｓ８）。
【００７４】
続いて、加圧ローラ２３の表面温度が制御温度１７０℃に達しているか否かのチェックが行われる（Ｓ９）。
【００７５】
ここで制御温度に達していない場合には加圧ヒータ２４をオンし（Ｓ１０）、達している場合には加圧ヒータ２４をオフする（Ｓ１１）。
【００７６】
次に、装置の前ドアがオープンしているか否かのチェックが行われる（Ｓ１２）。ここで、前ドアがオープンしている場合には定着モータ２６の駆動ができないため、定着ローラ２１の一定部分のみが外部加熱ローラ２９で加熱されてダメージを受けないように外部加熱ヒータをオフし（Ｓ１５）、前ドアがクローズしている場合には、外部加熱ローラ２９の温調のためのチェックが行われる（Ｓ１３）。外部加熱ローラ２９の表面温度が制御温度２３０℃に達していない場合には外部加熱ヒータ３０をオンし（Ｓ１４）、達している場合には外部加熱ヒータ３０オフする（Ｓ１５）。
【００７７】
上記シーケンスに続いて、次に定着ローラ２１、外部加熱ローラ２９のそれぞれの表面温度が、外部加熱ローラ２９を当接する温度に達しているか、否かのチェックを行い（Ｓ１６）、ここで各々のローラの表面温度が所定温度に達している場合（ここでは定着ローラ２１が１２０℃、外部加熱ローラ２９が２００℃）は、まず定着ローラの回転を開始し、次に外部加熱ローラ２９を、定着ローラ２１に当接する（Ｓ１９）。なお、本ウォームアップシーケンスの初期状態において、定着ローラ２１は停止しており、かつ外部加熱ローラ２９は、定着ローラ２１に対して離間している。
【００７８】
以上の動作を、外部加熱ローラ２９、定着ローラ２１、加圧ローラ２３の表面温度がそれぞれ制御温度２３０℃、２００℃、１７０℃に達するまで行われ、夫々の表面温度が各々制御温度に達すると、後述のスタンバイシーケンスに移る。
【００７９】
このように、前ドアがオープン状態のときには、外部加熱ローラ２９の表面温度に関わらず、外部加熱ヒータへの通電が遮断されることで、定着ローラ２１が部分的に加熱されることを防止することができる。一方、定着ローラ２１のヒータ及び加圧ローラ２３のヒータには、定着ローラ２１及び加圧ローラ２３の表面温度が設定温度になるように、前ドアの開閉状態に関わらず、通電が行われる。
【００８０】
前ドアがオープン状態のときのシステムコントローラ１０１による制御フローを図１３を用いて更に詳述する。
【００８１】
システムコントローラ１０１は、前ドアがオープンされたと判定すると、まず、定着ローラ、加圧ローラ、後述の外部加熱ローラの回転を停止させる。
【００８２】
そして、前ドアオープンが定着装置での記録材のジャムによるものであれば、即ち、定着ニップに記録材が存在していれば、定着ローラ、加圧ローラ、外部加熱ローラの各ヒータへの通電を直ちに遮断する。
【００８３】
一方、前ドアオープンが定着装置でない他の個所でのジャム、もしくは機器の交換によるものであれば、即ち、定着ニップに記録材が存在していなければ、定着ローラ、加圧ローラの各ハロゲンヒータへの各サーミスタの出力に応じた通電をそのまま継続させる一方、外部加熱ローラのヒータへの通電は遮断する。
【００８４】
このように、前ドアオープンにより定着ローラの回転が停止されて外部加熱ローラが当接したままの状態となっても、外部加熱ローラによる定着ローラ外面の加熱動作を停止させるので、定着ローラ外面が局所的に加熱されて劣化、損傷してしまうのを防止することができる。
【００８５】
一方、定着ローラ、加熱ローラの温調をそのまま継続させるので、ジャム処理や機器の交換に伴って前ドアがクローズされた後の定着装置のウォームアップ時間を短くすることができ、装置の画像形成可能な状態までの復帰時間を短くすることができる。従って、前ドアクローズ後の画像形成を可及的に早期に実行することが可能となる。
【００８６】
なお、このとき、定着ローラに内蔵されたハロゲンヒータは、定着ローラの内面全体を偏りなくほぼ一様に加熱する構成とされているので、外部加熱ローラのような局所的な加熱による定着ローラの損傷という問題は生じない。
【００８７】
（スタンバイシーケンス）
図７を用いてスタンバイシーケンスについて説明する。
【００８８】
スタンバイに移行すると（Ｓ２０）、まず定着ローラ２１の表面温度が制御温度２００℃に達しているか否かのチェックが行われる（Ｓ２１）。ここで制御温度に達していない場合には定着ヒータ２２をオンし（Ｓ２２）、達している場合には定着ヒータ２２をオフする（Ｓ２３）。
【００８９】
続いて、加圧ローラ２３の表面温度が制御温度１７０℃に達しているか否かのチェックが行われる（Ｓ２４）。
【００９０】
ここで制御温度に達していない場合には加圧ヒータ２４をオンし（Ｓ２５）、達している場合には加圧ヒータ２４をオフする（Ｓ２６）。
【００９１】
更に続いて、外部加熱ローラ２９の表面温度が制御温度２３０℃に達しているか否かをチェックし（Ｓ２７）、達していない場合には外部加熱ヒータ３０をオンし（Ｓ２８）、達している場合には外部加熱ヒータ３０オフする（Ｓ２８）。
【００９２】
以上の動作を、カラー複写機が画像形成動作を行うまでのスタンバイ中にて行われ、画像形成動作が開始すると、後述のコピーシーケンスに移る。
【００９３】
（コピーシーケンス）
続いて図８を用いてコピーシーケンスについて説明する。
【００９４】
コピーシーケンスが開始されると（Ｓ３０）、まず定着ローラの回転を開始し、次に外部加熱ローラ２９を、定着ローラ２１に当接する（Ｓ３１）。また加圧ヒータ２４は、電力を抑える為に、コピーシーケンス中はオフするが（Ｓ３２）、加圧ヒータがオフされていても充分に定着性能が得られるように、本定着装置３は設計されている。
【００９５】
続いて定着ローラ２１の表面温度が制御温度２００℃に達しているか否かのチェックが行われる（Ｓ３３）。ここで制御温度に達していない場合には定着ヒータ２２をオンし（Ｓ３４）、達している場合には定着ヒータ２２をオフする（Ｓ３５）。
【００９６】
更に続いて、外部加熱ローラ２９の表面温度が制御温度２３０℃に達しているか否かをチェックし（Ｓ３６）、達していない場合には外部加熱ヒータ３０をオンし（Ｓ３７）、達している場合には外部加熱ヒータ３０をオフする（Ｓ３８）。
【００９７】
上記シーケンスはコピー動作（＝画像形成動作）が終了するまで行われる。まだコピー動作が終了しない場合にはＳ３３に戻り、終了した場合には次の後回転シーケンスへと移行する（Ｓ４０）。
【００９８】
次には図９を用いて後回転シーケンスについて説明する。後回転シーケンスが開始されると（Ｓ４１）、まず外部加熱ローラ２９、定着ローラ２１、加圧ローラ２３の表面温度がそれぞれ制御温度２３０℃、２００℃、１７０℃に達しているか否かをチェックする（Ｓ４２）。
【００９９】
ここで、該温度に各々の表面温度が達している場合には、外部加熱ローラ２９を定着ローラ２１から離間し、定着ローラ２１の回転を停止して（Ｓ５２）、スタンバイに移行する（Ｓ５３）。
【０１００】
一方、該温度に各々の表面温度が達していない場合には、次に定着ローラ２１の表面温度が制御温度２００℃に達しているか否かのチェックが行われる（Ｓ４３）。
【０１０１】
ここで制御温度に達していない場合には定着ヒータ２２をオンし（Ｓ４４）、達している場合には定着ヒータ２２をオフする（Ｓ４５）。
【０１０２】
続いて、加圧ローラ２３の表面温度が制御温度１７０℃に達しているか否かのチェックが行われる（Ｓ４６）。
【０１０３】
ここで制御温度に達していない場合には加圧ヒータ２４をオンし（Ｓ４７）、達している場合には加圧ヒータ２４をオフする（Ｓ４８）。
【０１０４】
更に続いて、外部加熱ローラ２９の表面温度が制御温度２３０℃に達しているか否かをチェックし（Ｓ４９）、達していない場合には外部加熱ヒータ３０をオンし（Ｓ５０）、達している場合には外部加熱ヒータ３０オフする（Ｓ５１）。
【０１０５】
以上の動作を、外部加熱ローラ２９、定着ローラ２１、加圧ローラ２３の表面温度がそれぞれ制御温度２３０℃、２００℃、１７０℃に達するまで行われ、夫々の表面温度が各々制御温度に達すると、再びスタンバイシーケンスに移る。
【０１０６】
ここで、コピーシーケンス中に紙詰まり（ジャム）が発生したときには、記録材を画像形成装置内から取り出す必要がある。その際に、前ドア等をオープン状態にする。そこで、本実施例では、ドアがクローズ状態からオープン状態に移行したときには、外部加熱ローラのヒータへの通電が行われないように、電源からヒータへの電力を遮断する。
【０１０７】
一方、定着ローラ２１と加圧ローラ２３のヒータへは、それぞれのローラが設定温度になるように、温度制御が継続して行われる。ただし、記録材が定着装置内でジャムした場合には、安全面上全てのローラへの通電が遮断される。
【０１０８】
以上の本発明における実施例では、ＣＰＵ１０１ａから外部加熱サーミスタ３２の温度データ５０６に応じた外部加熱ヒータ制御信号５０４を出力し、該ヒータ制御信号５０４と、外部加熱ヒーターイネーブル信号５０３の論理からＡＣドライバ１１０へ出力する外部加熱ヒータ制御信号５０５を生成する構成としたが、これに限定されず、入力した外部加熱ヒーターイネーブル信号と、外部加熱サーミスタ３２の温度データ５０６に応じてＣＰＵ１０１ａが外部加熱ヒータ制御信号５０５を出力する構成でも、同様の機能を満たすことが可能である。
【０１０９】
また本実施例では、加圧ローラ２３には、内部に熱源であるハロゲンヒータ２４を用いて構成した場合について説明したが、ハロゲンヒータ２４を有さずに構成することも可能である。
【０１１０】
また、定着ローラ２１、加圧ローラ２３、及び外部加熱ローラ２９の表面温度検知手段を接触式として構成したが、これらを非接触として構成することも可能である。
【実施例２】
【０１１１】
以下で図１０〜図１２を用いて、本実施形態の詳細について説明する。なお、第１の実施形態の図４〜６以外は、第１の実施形態と同様であるため説明を省略する。
【０１１２】
まず図１０と図１１を用いて、本実施形態の前ドアオープンで、かつ外部加熱ローラが定着ローラに当接している場合に外部加熱ヒータ制御をオフするためのシーケンスおよび回路について説明する。
【０１１３】
図１０は、システムコントローラ１０１に入力される、前ドア検知１１３の開閉検知信号５０１、接離センサ６１の接離状態信号５０２の、２つの信号の論理より、本装置の状態を検出して外部加熱ヒータの温調のオン／オフを制御するヒーターイネーブル信号５０３を生成し、外部加熱ヒータの温調を制御するシーケンス図である。
【０１１４】
ここで、前ドア検知信号５０１で前ドアのオープン（Ｈ論理）が検知されると、インターロック機能で定着モータ２６および接離手段６０に供給される電源がオフ（Ｌ論理）される。この際に、接離センサ信号５０２が当接状態（Ｌ論理）であると、外部加熱ヒータイネーブル信号５０３をオフ（Ｌ論理）にして外部加熱ヒータ制御信号５０５をオフ（Ｌ論理）し、外部加熱ヒータをオフする。
【０１１５】
図１１は、本発明の外部加熱ヒータ制御の回路を示したブロック図であり、上記外部加熱ヒーターイネーブル信号と、外部加熱サーミスタ３２の温度データ５０６に応じたＣＰＵ１０１ａの外部加熱ヒータ制御信号５０４の論理から、外部加熱ヒータを制御するための回路の一例である。なお本実施例では、ＣＰＵ１０１ａから外部加熱サーミスタ３２の温度データ５０６に応じた外部加熱ヒータ制御信号５０４を出力し、該ヒータ制御信号５０４と、外部加熱ヒーターイネーブル信号５０３の論理からＡＣドライバ１１０へ出力する外部加熱ヒータ制御信号５０５を生成する構成としたが、入力した外部加熱ヒーターイネーブル信号と、外部加熱サーミスタ３２の温度データ５０６に応じてＣＰＵ１０１ａが外部加熱ヒータ制御信号５０５を出力する構成でも、同様の機能を満たすことが可能である。
【０１１６】
この外部加熱ヒータ制御回路では、５１２と５１３のロジックにより、前ドア検知信号５０１がＨでオープン状態にあり、かつ接離センサ信号５０２がＬで当接である状態の場合に、インターロック機能により接離手段６０で外部加熱ローラ２９が離間できない状態であると認識し、外部加熱ヒータイネーブル信号５０３をヒータ制御オフ状態のＬにして、外部加熱ヒータ制御信号５０５をＬのオフ状態にするものである。
【０１１７】
また、５１２と５１３のロジックは、本実施例でのカラー複写機の論理に合わせて構成しているが、前ドア検知１１３の開閉検知信号５０１、接離センサ６１の接離状態信号５０２、ＣＰＵ１０１ａの外部加熱ヒータ制御信号５０４の、３つの信号の論理は、回路構成やメカ構成によって変化する際には、その装置のそれぞれの信号論理にあわせて５１２と５１３のロジックを構成すれば、同様のヒータ制御を実現できる。
【０１１８】
また本実施例のように、ＡＣドライバ１１０への外部加熱ヒータ制御信号５０５を、外部加熱ヒータイネーブル信号５０３と、ＣＰＵ１０１ａからの外部加熱ヒータ制御信号５０４をもとにロジック５１３によって生成すれば、外部加熱ローラ２９が離間できない状態にはＡＣドライバ１１０への外部加熱ヒータ制御信号５０５がＬで「オフ側」に固定されるので、強制的に外部加熱ヒーターがオフされて定着ローラを保護することができる。
【０１１９】
更に、本実施例では外部加熱ヒータイネーブル信号５０３やロジック５１３を、ハード回路で構成しているため、仮にソフトが暴走して、ＣＰＵ１０１ａの外部加熱ヒータ制御信号５０４がオンしてしまった場合にも、ハード的に外部加熱ヒータ制御信号５０５を強制的にオフできるため、定着ローラの保護性能が高められる。
【０１２０】
次に、本実施形態に係わる制御の詳細を、図１２を用いて説明する。なお、ウォームアップ以降の制御については、第１の実施形態で詳述した図７〜９と同様であり、説明を省略する。
【０１２１】
（ウォームアップ時における制御）
図１２はウォームアップ時における制御の詳細である。まず図３に示すようにカラー複写機の主電源を投入されると（Ｓ１）、外部加熱ローラ２９はホームポジションへ移動させる（Ｓ２）。ここで、ホームポジションとは、外部加熱ローラ２９が、定着ローラ２１に対して離間する所定位置であり、システムコントローラ１０１内のＣＰＵ１０１ａで外部加熱ローラ２９を接離制御をして、当接あるいは離間の制御状態と、接離センサ６１からの当接状態／離間状態の信号との一致／不一致を確認し、接離手段６０と接離センサ６１の異常を確認するとともに、外部加熱ローラ２９を定着ローラ２１に対して離間する所定位置に移動させる。
【０１２２】
続いて定着リレーをオンし（Ｓ３）、外部加熱ローラ２９、定着ローラ２１、加圧ローラ２３の表面温度がそれぞれ制御温度２３０℃、２００℃、１７０℃に達しているか否かをチェックする（Ｓ５）。ここで、該温度に各々の表面温度が達している場合には、定着モータ２６をオフ、外部加熱ローラ２９を定着ローラ２１から離間させたうえで、スタンバイに移行する。（ただし電源オン直後には、定着モータ２６はオフ、外部加熱ローラ２９は定着ローラ２１から離間、の状態に予め制御されている）。
【０１２３】
一方、該温度に各々の表面温度が達していない場合には（Ｓ５）、次に定着ローラ２１の表面温度が制御温度２００℃に達しているか否かのチェックが行われる（Ｓ６）。
【０１２４】
ここで制御温度に達していない場合には定着ヒータ２２をオンし（Ｓ７）、達している場合には定着ヒータ２２をオフする（Ｓ８）。
【０１２５】
続いて、加圧ローラ２３の表面温度が制御温度１７０℃に達しているか否かのチェックが行われる（Ｓ９）。
【０１２６】
ここで制御温度に達していない場合には加圧ヒータ２４をオンし（Ｓ１０）、達している場合には加圧ヒータ２４をオフする（Ｓ１１）。
【０１２７】
次に、装置の前ドアがオープンしているか否かのチェックが行われる（Ｓ１２）。ここで、前ドアがオープンしている場合には、外部加熱ローラが定着ローラに当接しているか否かをチェックする（Ｓ４）。ここで外部加熱ローラが定着ローラに当接している場合には、前ドアオープンによって定着モータ２６が駆動できないため、定着ローラ２１の一定部分が外部加熱ローラ２９で加熱されてダメージを受けないように外部加熱ヒータをオフ（Ｓ１５）する。外部加熱ローラが当接していない場合、またＳ１２で前ドアがクローズしている場合には、外部加熱ローラ２９の温調のためのチェックが行われる（Ｓ１３）。即ち、外部加熱ローラ２９が定着ローラ２１から離間していると検知した場合には、外部加熱ローラは予め設定されている設定温度を目標にして、温度制御が行われる。外部加熱ローラ２９の表面温度が制御温度２３０℃に達していない場合には外部加熱ヒータ３０をオンし（Ｓ１４）、達している場合には外部加熱ヒータ３０オフする（Ｓ１５）。
【０１２８】
上記シーケンスに続いて、次に定着ローラ２１、外部加熱ローラ２９のそれぞれの表面温度が、外部加熱ローラ２９を当接する温度に達しているか、否かのチェックを行い（Ｓ１６）、ここで各々のローラの表面温度が所定温度に達している場合（ここでは定着ローラ２１が１２０℃、外部加熱ローラ２９が２００℃）は、まず定着ローラの回転を開始し、次に外部加熱ローラ２９を、定着ローラ２１に当接する（Ｓ１９）。なお、本ウォームアップシーケンスの初期状態において、定着ローラ２１は停止しており、かつ外部加熱ローラ２９は、定着ローラ２１に対して離間している。
【０１２９】
また、本実施例から明らかなように、前ドアがオープン状態であっても、定着ローラ２１と加圧ローラ２３の表面温度が設定温度になるように、各々のヒータへの通電制御はクローズ状態と同様に行われる。
【０１３０】
以上のように、本実施例は、前ドア等のドアがクローズ状態からオープン状態に移行したときには、外部加熱ローラの定着ローラへの接離状態に応じて外部加熱ローラのヒータへの通電を判断する。接触状態のときには、外部加熱ローラのヒータへの通電が行われないように、電源からヒータへの電力を遮断する。
【０１３１】
以上の動作を、外部加熱ローラ２９、定着ローラ２１、加圧ローラ２３の表面温度がそれぞれ制御温度２３０℃、２００℃、１７０℃に達するまで行われ、夫々の表面温度が各々制御温度に達すると、後述のスタンバイシーケンスに移る。
【実施例３】
【０１３２】
次の本発明に係る実施例３について図１４を用いて説明する。なお、上記実施例１、２と同じ機能を有する部材には同じ番号を付すことで詳細な説明は省略する。
【０１３３】
本実施例では、上記実施例１、２と異なり、前ドアオープンに連動して外部加熱ローラを離間させることが特徴である。なお、本実施例はこの特徴事項を除き上記実施例１、２と同じである。
【０１３４】
図１４に示すように、外部加熱ローラ２９を定着ローラ２１に接離させる接離手段３００と、前ドア２００の開放動作と接離手段３００による離間動作を連動させる連動機構４００を設けることにより、前ドアがオープンされる場合には外部加熱ローラが定着ローラから確実に離間するように構成されている。
【０１３５】
このような構成とすることで、上記実施例１、２と同様に、前ドアオープン時において外部加熱ローラにより定着ローラが局所的に加熱されて損傷してしまうのを防止することができる。
【０１３６】
また、前ドアオープン時、定着ニップに記録材が存在しなければ、図１３のフローのように、定着ローラ、加熱ローラの温調が継続して行われる。
【０１３７】
なお、前ドアオープンに連動して外部加熱ローラを離間させる構成の変形例として、上述のようなメカ的な構成とせずにソフト的な構成であっても良い。
【０１３８】
即ち、上述のような前ドアがオープンするのと同時に所定の機器への電力をオフさせることなく、前ドアがオープンしてから所定時間（２〜３数秒間）だけインターロック機能が作動するのを遅らせる遅延回路を使用することによって、その間に、接離手段３００へコントローラから指示を出して外部加熱ローラを定着ローラから離間させる構成であっても良い。
【０１３９】
以上、本発明を適用可能な例として実施例１〜３について説明したが、本発明の思想の範囲内であれば、種々の構成を変形することが可能である。
【図面の簡単な説明】
【０１４０】
【図１】本発明に係る画像形成装置の構成図である。
【図２】本発明に係る画像形成装置の制御系のブロック図である。
【図３】本発明に係る定着装置の概要を示す図である。
【図４】本発明に係る接離機構の異常判断手段の処理内容を示す図である。
【図５】本発明に係る接離機構の異常判断手段の実施形態を示す図である。
【図６】本発明に係る画像形成装置の制御を示すフローチャートである。
【図７】本発明に係る画像形成装置のスタンバイシーケンスを示すフローチャートである。
【図８】本発明に係る画像形成装置のコピーシーケンスを示すフローチャートである。
【図９】本発明に係る画像形成装置の後回転シーケンスを示すフローチャートである。
【図１０】本発明に係る接離機構の異常判断手段の処理内容を示す図である。
【図１１】本発明に係る接離機構の異常判断手段の実施形態を示す図である。
【図１２】本発明に係る画像形成装置の制御を示すフローチャートである。
【図１３】本発明に係る画像形成装置の制御を示すフローチャートである。
【図１４】本発明に係る定着装置の概要を示す図である。
【符号の説明】
【０１４１】
３  定着装置
２１  定着ローラ
２２  定着ヒータ
２３  加圧ローラ
２４  加圧ヒータ
２６  定着モータ
２９  外部加熱ローラ
３０  外部加熱ヒータ、
３２  外部加熱ローラサーミスタ
３４  定着ローラサーミスタ
３６  加圧ローラサーミスタ
４０  カラー電子写真複写機
６０  接離手段
６１  接離センサ
６２  接離異常判断手段
１０１  システムコントローラ
１１０  ＡＣドライバ
１１１  定着ヒータ
１１２  定着リレー
【図１】
2005122130.tif 000003
【図２】
2005122130.tif 000004
【図３】
2005122130.tif 000005
【図４】
2005122130.tif 000006
【図５】
2005122130.tif 000007
【図６】
2005122130.tif 000008
【図７】
2005122130.tif 000009
【図８】
2005122130.tif 000010
【図９】
2005122130.tif 000011
【図１０】
2005122130.tif 000012
【図１１】
2005122130.tif 000013
【図１２】
2005122130.tif 000014
【図１３】
2005122130.tif 000015
【図１４】
2005122130.tif 000016